(57)【特許請求の範囲】
【請求項１】
左右のカップ部と、
これらカップ部を体に装着するためのものであって、前側部分が左右の乳房のアンダー部分に沿って体にフィットするようにＵ字状の湾曲部に形成されたカップフレーム部とからなり、
これらカップ部とカップフレーム部とが分離して設けられており、前記カップフレーム部には、左右のカップ部を装着するときに、装着するカップ部の下カップ部分を差し込んで受け止めるカップ受け部が設けられていることを特徴とする女性用被服。
【請求項２】
前記カップ部の下カップ部分の下端縁には、前記カップ受け部に差し込むための差込片が設けられていることを特徴とする請求項１に記載の女性用被服。
【発明の詳細な説明】
【０００１】
【発明の属する技術分野】
本発明は、左右のカップ部と、これらカップ部を体に装着するためのカップフレーム部とからなる例えばブラジャーやボディースーツ等の女性用被服に関する。
【０００２】
【従来の技術】
従来のブラジャーの一例を図６に示す。
【０００３】
すなわち、従来のブラジャーは、左右のカップ部５１，５２と、これらカップ部５１，５２を乳房部分にフィットさせるために体（アンダーバスト部分）に装着するカップフレーム部５３とからなり、これらカップ部５２，５３とカップフレーム部５３とが一体的に形成されている。
【０００４】
【発明が解決しようとする課題】
すなわち、従来のブラジャーは、その装着感やバストアップの向上といった体型補整の観点から、種々の構造のものが提案されているが、どのような構造であっても、左右のカップ部５１，５２とカップフレーム部５３とは必ず一体に形成されている。
【０００５】
一方、バストの形や大きさ等は人によって様々であり、そのため、ブラジャーのサイズも種々のものが提供されている。例えば、カップ部としては、トップとアンダーとの差によって一般的レギュラーサイズとしてＡカップからＧカップまで７種類程度のものが提供されており、カップフレーム部としては、アンダーバストが６０ｃｍから５ｃｍ刻みに１１０ｃｍ程度まで１０種類以上のものが提供され、両部が一体となってＢ７０のように表示される組み合わせサイズ数は、５０種類以上となっている。従って、ユーザは、アンダーバストとカップサイズの両方を考慮して、自分に合ったサイズのものを選択して、自分の好みに応じた数だけ購入する必要があった。
【０００６】
また、製品を提供する側においても、これらすべての種類の組み合わせサイズを用意する必要があり、多品種少量生産といった効率の悪い生産となっていた。
【０００７】
本発明はかかる点に着目して創案されたもので、その目的は、カップ部とカップフレーム部とを分離して、自由に組み合わせできる構成とすることにより、分離されたカップ部は数種類で如何なるバストにも柔軟に対応可能で、ユーザに対しては、サイズ選択が簡単となり、多様性に富んだ使い勝手の良い女性用被服を提供し、製造メーカに対しては、カップ部とカップフレーム部とを個別に生産することにより必要生産サンズの種類が従来のブラジャーと比べて１／２以下に削減され、生産効率に優れた女性用被服を提供することにある。
【０００８】
【課題を解決するための手段】
本発明の女性用被服は、左右のカップ部と、これらカップ部を体に装着するためのものであって、前側部分が左右の乳房のアンダー部分に沿って体にフィットするようにＵ字状の湾曲部に形成されたカップフレーム部とからなり、これらカップ部とカップフレーム部とが分離して設けられていることを特徴としている。
【０００９】
このような特徴を有する本発明によれば、ユーザにとっては、カップフレーム部さえ自分にフィットするものを選んでおけば、後は、自分のカップサイズに合ったカップ部のみを、自分の好みに応じた数だけ購入し、そのときの気分や状況に応じて任意に組み合わせて使用することで、変化に富んだ多様な使い方ができる。また、これを製造するメーカにとっても、カップ部とカップフレーム部とを個別に製造すればよいので、製造効率が向上する。
【００１０】
また、前記カップフレーム部には、左右のカップ部を装着するときに、装着するカップ部の下カップ部分を差し込んで受け止めるカップ受け部が設けられている。このようなカップ受け部を設けておくことで、カップ部を安定的に装着することができる。そのため、例えば体操のような激しい動きをしても、カップ部がずれたり外れたりすることがない。
【００１１】
また、前記カップ部の下カップ部分の下端縁には、前記カップ受け部に差し込むための差込片が設けられている。このような差込片を設けておくことで、カップ部をより安定的に装着することができる。
【００１２】
【発明の実施の形態】
以下、本発明の実施の形態について、図面を参照して説明する。
【００１３】
図１は、本発明の女性用被服の一実施の形態であるブラジャーの全体構成を示す説明図である。
【００１４】
このブラジャー１は、左右のカップ部１１，１２と、これらカップ部１１，１２を体に装着するためのカップフレーム部１３とからなり、これらカップ部１１，１２とカップフレーム部１３とが分離して設けられている。
【００１５】
カップフレーム部１３の前側部分は、左右の乳房のアンダー部分に沿って体にフィットするように、Ｕ字状の湾曲部１４ａ，１４ｂとなっている。また、左右の湾曲部１４ａ，１４ｂには、左右のカップ部１１，１２を装着するときに、装着するカップ部１１，１２の下カップ部分１１ａ，１２ａを差し込んで受け止めるためのカップ受け部１５ａ，１５ｂがそれぞれ設けられている。
【００１６】
このような構成のブラジャー１を装着する場合、ユーザは、まず左右の肩紐１６ａ，１６ｂ部分にそれぞれ腕を通して肩に掛け、カップフレーム部１３の両端に設けられているフック１５ａ，１５ｂを背中の真ん中で係止して、カップフレーム部１３を体に装着する。そして、湾曲部１４ａ，１４ｂが左右の乳房のアンダー部分に沿うようにカップフレーム部１３を調整する。
【００１７】
この後、図２に示すように、例えば左側のカップ部１１の下カップ部分１１ａを、左側のカップ受け部１５ａに差し込み、カップ部１１が乳房にフィットするように、その差込み深さを調整する。同様に、右側のカップ部１２の下カップ部分１２ａを、右側のカップ受け部１５ｂに差し込み、カップ部１２が乳房にフィットするように、その差込み深さを調整する。以上により、ブラジャー１の装着を完了する。
【００１８】
このような構成のブラジャー１によれば、１つのカップフレーム部１３に対して、カップ部１１，１２を複数組み用意しておけば、そのときの気分や状況に応じて、カップ部１１，１２を任意に付け替えることが可能となる。
【００１９】
また、カップ部１１，１２は、カップ受け部１５ａ，１５ｂによって受け止められている（正確には、乳房とカップ受け部１５ａ，１５ｂとの間に保持されている）ので、腕の上げ下げや体をひねるといった運動を行っても、カップ部１１，１２がずれるといった心配はない。実際に試作品を作製して実験を行った結果においても、そのような運動でカップ部１１，１２がずれることはなかった。
【００２０】
図３は、カップ部１１，１２の他の実施例を示している。
【００２１】
すなわち、この実施例では、カップ部１１，１２の下カップ部分１１ａ，１２ａの下端縁に、カップフレーム部１３まで差し込むための差込片１１ｂ，１２ｂが設けられている。
【００２２】
すなわち、この差込片１１ｂ，１２ｂは、図４に示すように、カップ受け部１５ａ，１５ｂを通過し、湾曲部１４ａ，１４ｂも通過して、カップフレーム部１３まで差し込まれるようになっている。
【００２３】
このような構成のブラジャー１を装着する場合、ユーザは、まず左右の肩紐１６ａ，１６ｂ部分にそれぞれ腕を通して肩に掛け、カップフレーム部１３の両端に設けられているフック１５ａ，１５ｂを背中の真ん中で係止して、カップフレーム部１３を体に装着する。そして、湾曲部１４ａ，１４ｂが左右の乳房のアンダー部分に沿うようにカップフレーム部１３を調整する。
【００２４】
この後、図４に示すように、例えば左側のカップ部１１の下カップ部分１１ａを、左側のカップ受け部１５ａに差し込み、さらに、差込片１１ｂを湾曲部１４ａを通過させてカップフレーム部１３まで差し込む（押し込む）。そして、カップ部１１が乳房にフィットするように、その差込み深さを調整する。同様に、右側のカップ部１２の下カップ部分１２ａを、右側のカップ受け部１５ｂに差し込み、さらに、差込片１２ｂを湾曲部１４ｂを通過させてカップフレーム部１３まで差し込む（押し込む）。そして、カップ部１２が乳房にフィットするように、その差込み深さを調整する。以上により、ブラジャー１の装着を完了する。
【００２５】
これにより、カップ部１１，１２は、下カップ部分１１ａ，１２ａがカップ受け止め部１５ａ，１５ｂで受け止められるだけでなく、差込片１１ｂ，１２ｂがカップフレーム部１３と体との間に差し込まれる形で保持されるので、例えば体操のような激しい動きをしても、カップ部１１，１２がずれたり外れたりすることがない。
【００２６】
なお、上記実施の形態では、左右のカップ部１１，１２も個別に形成しているが、カップ部１１，１２については、図５に示すように、紐部材２０によって左右のカップ部１１，１２を一連につないだ構造としてもよい。ただし、バストトップの位置が個人によって異なることを考慮すれば、左右のカップ部１１，１２を個別に形成しておく方がよい。
【００２７】
【発明の効果】
本発明の女性用被服によれば、ユーザにとっては、カップフレーム部さえ自分にフィットするものを選んでおけば、後は、自分のカップサイズに合ったカップ部のみを、自分の好みに応じた数だけ購入し、そのときの気分や状況に応じて任意に組み合わせて使用することで、変化に富んだ多様な使い方ができる。また、これを製造するメーカにとっても、カップ部とカップフレーム部とを個別に製造すればよいので、製造効率が向上する。
【００２８】
また、カップフレーム部にカップ受け部が設けられているので、カップ部を安定的に装着することができる。そのため、例えば体操のような激しい動きをしても、カップ部がずれたり外れたりすることがない。
【００２９】
また、カップ部の下カップ部分の下端縁に差込片が設けられているので、カップ部をより安定的に装着することができる。
【図面の簡単な説明】
【図１】本発明の女性用被服の一実施の形態であるブラジャーの全体構成を示す説明図である。
【図２】カップ部をカップフレーム部に装着した状態を示す説明図である。
【図３】カップ部の他の実施例を示す説明図である。
【図４】図３に示すカップ部をカップフレーム部に装着した状態を示す説明図である。
【図５】カップ部のさらに他の実施例を示す説明図である。
【図６】従来のブラジャーの一例を示す説明図である。
【符号の説明】
１  ブラジャー
１１，１２  カップ部分
１１ａ，１２ａ  下カップ部
１１ｂ，１２ｂ  差込片
１３  カップフレーム部
１４ａ，１４ｂ  湾曲部
１５ａ，１５ｂ  カップ受け部
１６ａ，１６ｂ  肩紐
【図１】
0003796194.tif 000002
【図２】
0003796194.tif 000003
【図３】
0003796194.tif 000004
【図４】
0003796194.tif 000005
【図５】
0003796194.tif 000006
【図６】
0003796194.tif 000007